(57)【要約】足場システムと足場アセンブリ２の移動方法に関する。システムは、複数の細長部材７、３１を含む足場アセンブリを含み、その部材は、支持部と、構築物に直接的または間接的に据え付けるための複数のブラケット３、２３を含み、ブラケットは、構築物に据え付けられたときに、長手の直立方向に部材を解放可能に保持する保持手段、および部材の重量の少なくとも一部を支持する支持手段２５、３２、および構築物にアセンブリを再配置する間に部材をガイドするガイドを含む。ガイドは、アセンブリを上昇・下降する間に、細長部材をガイドし、支持手段は、アセンブリの上昇の間に支持部２７、３６の通過を可能にするが、アセンブリ上昇時には支持部の通過を妨げ、アセンブリ下降時には支持部の通過を妨げる。悪い天候状態にも関わらずより容易に移動可能であり、より簡単でより効率的なシステムを提供することができる。
2005524792.tif 000002
【特許請求の範囲】
【請求項１】
複数の細長部材を含む足場アセンブリで、前記部材が支持部を含んでいる前記アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段とを含む、前記ブラケットと；
前記構築物に対して前記アセンブリを上昇および／または下降する間、前記アセンブリをガイドするためのガイドと；
前記足場アセンブリから分離された移動手段であって、アセンブリを上昇および／または下降するために結合要素を介して足場アセンブリに接続された前記移動手段と
を含み、
前記支持手段が、前記アセンブリの上昇の間に前記支持部の通過を可能にするが、前記アセンブリの下降の間には前記支持部の通過を妨げ、それによって前記アセンブリを支持するように構成されている、足場システム。
【請求項２】
複数の細長部材を含む足場アセンブリであって、前記部材が支持部を含んでいる前記アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段とを含む前記ブラケットと；
前記構築物に対して前記アセンブリを上昇および／または下降する間、前記アセンブリをガイドするためのガイドと
を含み、
前記支持手段が、前記支持部の通過を、前記アセンブリの上昇の間に該支持部によって作用されたときには、独立して可能にするようになっており、かつ前記支持手段が、前記アセンブリの下降の間には前記支持部の通過を独立して妨げるようになっている、足場システム。
【請求項３】
複数の細長部材を含む足場アセンブリであって、前記部材が支持部を含んでいる前記アセンブリと；
構築物に直接的にまたは間接的に据え付けるための複数のブラケットであって、当該ブラケットが構築物に据え付けられたときに長手の直立方向に前記細長部材を解放可能に保持しかつガイドするための保持およびガイド手段と、前記細長部材の重量の少なくとも一部を支持するための支持手段とを含む前記ブラケットと
を含み、
前記支持手段は、アセンブリの上昇の間に前記支持部の通過を可能にするが、アセンブリの下降の間には前記支持部の通過を妨げるように構成され、それによって前記アセンブリを支持し、
各保持およびガイド手段は、少なくとも一対の互いに協働する対向した枢動可能なアームを含み、各アームはスロット部分を含み、もって協働する各アーム対が、それらの間に細長部材の一部を保持し、かつアセンブリを上昇および／または低下の間に滑動可能にガイドされることを可能にする、足場システム。
【請求項４】
各細長部材は、例えばＵ、Ｉ、Ｈ、正方形、または丸型などの通常断面のビームまたはレールである請求項１〜３のいずれか一項に記載のシステム。
【請求項５】
各ブラケットはガイド手段を組み込んでいる請求項１または２に記載のシステム。
【請求項６】
各ブラケットのガイド手段および保持手段が一体化されている請求項５に記載のシステム。
【請求項７】
各一体化されたガイドおよび保持手段は、１つ以上の互いに協働する対向した枢動可能なアームの形態である請求項６に記載のシステム。
【請求項８】
前記枢動可能なアーム対それぞれは、各細長部材を保持するための閉鎖位置と、前記細長部材を解放するための解放位置との間で枢動するように構成されている請求項７に記載のシステム。
【請求項９】
支持手段は、ブラケットに枢動可能に取り付けられたアームと停止手段とを含み、アームは、アセンブリの上昇の間には支持部の通過を可能にするように支持部の作用によって独立して枢動され、停止手段のブラケットの一部分との相互作用によって支持部の戻りを妨げるように支持位置に独立して戻る請求項１〜８のいずれか一項に記載のシステム。
【請求項１０】
各細長部材の支持部が、１つ以上の永続的なまたは取り外し可能なピン、ボルト、バー、またはそれらの組み合わせを含む請求項１〜９のいずれか一項に記載のシステム。
【請求項１１】
ブラケットが、１つ以上のボルト、接着剤、止め金手段、またはそれらの組みあわせによって、構築物に据え付けるように構成されている請求項１〜１０のいずれか一項に記載のシステム。
【請求項１２】
足場アセンブリを上昇および／または下降する移動手段を含み、前記手段が、クレーン、ウインチ、ホイストなどを含む請求項２または３に記載のシステム。
【請求項１３】
前記システムが、さらに型枠手段を含む請求項１〜１２のいずれか一項に記載のシステム。
【請求項１４】
前記型枠手段が、現場で実質的に垂直なコンクリート壁を構築するための型枠パネルを含む請求項１３に記載のシステム。
【請求項１５】
足場アセンブリが、ブラケットによって保持される前に、ユニット型またはモジューラ型アセンブリとして事前に組み立てられる請求項１〜１４のいずれか一項に記載のシステム。
【請求項１６】
足場アセンブリが、最大、幅約１０メートル、高さ約１２メートルである請求項１〜１５のいずれか一項に記載のシステム。
【請求項１７】
足場アセンブリが、幅約５メートル、高さ約１２メートルである請求項１６に記載のシステム。
【請求項１８】
足場アセンブリの直立の細長部材が、結合されたＵ断面ビームを含み、足場アセンブリが、さらに枠組みを形成するために前記ビームを相互接続するクロス部材を含む請求項１〜１７のいずれか一項に記載のシステム。
【請求項１９】
前記足場アセンブリが、作業員および／または材料を踏み台部材上に支持するために、１つ以上の踏み台部材をさらに含む請求項１８に記載のシステム。
【請求項２０】
支持部を含む複数の細長部材を含む足場アセンブリを位置決めする方法であって、
ａ）構築物に滑動可能に保持された足場アセンブリを上昇させるステップと、
ｂ）前記上昇と同時に構築物に結合されたガイドを介してアセンブリをガイドするステップと、
ｃ）足場アセンブリの支持部が、それらの前の支持位置を通過することを可能にするステップと、
ｄ）対応するそれぞれの支持位置に、支持部のための支持手段を位置決めするステップと、
ｅ）支持手段で支持部を支持するステップ、
とを含む方法。
【請求項２１】
ステップ（ａ）の前に構築物上に提供されたブラケットに足場アセンブリを解放可能に据え付けるステップをさらに含む請求項２０に記載の方法。
【請求項２２】
構築物に据え付ける前に足場アセンブリを事前に組み立てるステップをさらに含む請求項２０または２１に記載の方法。
【請求項２３】
アセンブリを位置決めする間に、支持部が支持手段に作用して、支持手段が支持部の経路から外れて移動するように構成され、かつ前記支持手段が自動的に戻って前記経路を遮断し、その後アセンブリを支持するために支持部が支持手段上にあることを可能にする、請求項２０、２１、２２のいずれか一項に記載の方法。
【発明の詳細な説明】
【技術分野】
【０００１】
本発明は、踏み台、あゆみ板、型枠を支持するための足場に関連し、特に、本発明は、建築および建設工事産業のための足場に関する。
【背景技術】
【０００２】
伝統的に足場システムは、例えば、建物、サイロ、船舶、モニュメント、およびダムなどの大規模構築物の建設および／または保守の間に使用される。足場は、一般にそのような構築物の外側に立てられ、内部での使用は一般的ではない。足場は、いったん立てられると構築物領域への実用的なアクセスを提供し、他の方法ではアクセスが困難で、もしなにも無ければ到達することは不可能である。一般に、そのような領域は、実用されているはしごおよび踏み台による到達範囲を越える高さにある。このシステムは、作業員が安全にかつ効率的に地面または構造体基礎レベルより上の高さで作業することを可能にし、かつ作業材料の安全な保管および配置も可能にする。従来のシステムは、一般に地面から上方へ立てられ、そこでは直立ポールは地表面上で支持されかつクロス部材および／または踏み台のネットワークを介して相互接続され、当該枠組構成に対して安定性および剛性を与える。構築物のより低いレベルが完成するか、もしくは保守作業が上方へ移動するのに従い、足場を延長することが通常必要である。このことは時として、地面に支持されたはじめの直立材にさらなる直立材を接続することが必要となり、クロス部材などをさらに相互接続して安定性を追加する必要がある。システムが高くなるにつれて、さらなる安全性および安定性のために、足場を構築物に結合する、または固定することが必要となる可能性がある。いったん組立されると、従来の足場形式は構築物に固定され、全体が分解されないならば重要事態が無い限り動かすことは出来ない。このように、構築物の作業が上方へ延び続けると、足場のより低いレベルは必要の無い、使用されない浪費物質となる可能性があり、かつ足場を継続して延長してより高いレベルで作業するために、材料をさらに持ち込む必要がある。
【０００３】
これらの問題に対する解決方法が、いわゆる「第２世代」システムによってこれまでに提案されている。従来技術で知られている１つのシステムは、取り外し可能な「ジャンプ」または「吊り下げ」足場システムである。そのようなシステムにおいて、足場は、限定された高さ範囲に立てられ、かつ構築物にそのまま止められる。作業が上方へより高い建設または保守レベルへ進むと、足場は構築物から取り外され、クレーンによって必要な新たな高さに１つのユニットづつ吊り上げられることが可能である。各足場ユニットは、次いで再設置され、新しい高さで構築物に再び取り付けられる。しかしながらそのようなシステムは、クレーンによる単位足場の大きなセクションを移動し持ち上げることにおける実用性の制限によって、ほぼ３から４平方メートルの面積の足場ユニットに適応されるにとどまる。通常はその特性によって、そのようなシステムは限定された隙間間隔または安全領域を有する市街地または立て込んだ領域に用いられる。また、上昇させる、移動する、および再固定する操作のいずれを行う場合にも、足場が安全に再び固定されるまでの平均的な気象条件を考慮する必要がある。例えば強い風または制限された視界などの悪い気象条件においては、大きな足場ユニットをクレーンから自由空間に吊り下げておくことは実際的ではなくまた安全ではない。そのような状況下では再取付けもまた困難であることは明らかであろうし、危険であると考えられる。そのようなシステムのセクションを移動することは前述したように非実用的であるので、当該ユニットはそのような条件がもし無ければ好ましいとされる大きさよりも-小さくすることが必要となり、したがって必要なユニット数が多くなり、応じてそれらを移動するためのより多くのクレーン操作回数や追加クレーンが必要となる。そのようなユニットの移動に付随する問題に伴う足場ユニット数の多さは、クレーンによる自由空間におけるユニット移動に伴う安全性リスクの増大ととともに、建築時間および費用も増大するという結果をもたらす。
【０００４】
提案されている代替のシステムは、自動化された、または「自走クライミング」のシステムである。そのようなシステムは、コンクリート表面を形成するための鉛直壁型枠として主として通常使用される自走クライミングアセンブリである。Ｓｃｈｗｏｒｅｒに対して発行された米国特許第５０００２８７号は、コンクリート壁を立てるための「自走クライミング」型枠のそのようなシステムを開示している。そのシステムは、足場踏み台を含み、足場踏み台は、壁部分に据え付けられた直立搬送レールに沿って、レール当たり１つの油圧リニア駆動装置によって移動する。踏み台が、そのそれぞれのレールの最上部まで駆動されると、踏み台はその位置に維持され、その間にレールは引き続き上方に移動され、壁の次の部分に固定される。このように、踏み台を上方に進めるために、システムは、踏み台、次いでレール、次いで踏み台といった交互に移動する比較的複雑な２段階の工程を必要とする。
【０００５】
Ｆｏｕｇｅａに対して発行された米国特許第４０６０３８５号は、自走クライミング型枠のさらなる周知のシステムである。このシステムは、建設中の壁に沿って型枠フレームを進めかつ位置決めするために、油圧アクチュエータの使用を開示している。フレームには、複数の油圧アクチュエータが設けられ、各アクチュエータは、壁に沿ってフレームを移動するためにその一方の端部が取り付けられ、各アクチュエータの他方の端部は、壁に据え付けられたブラケット上にフック掛けするのに適合している。フレームの移動中、傾斜形状をしたカムが、必要な位置にフレームを維持するためにブラケットと係合する。滑動担持アームは、このときフレームを支持するために所定の位置に配置される必要があり、その後にフレームが壁に対して上方に進められることを可能にするために取り除かれる必要がある。
【０００６】
このように、前述のシステムとは異なり、建設中の壁に沿って比較的少量づつ徐々に進んでゆく動きが要求される自走クライムシステムは、クレーンによって移動されるのではなく、組み込まれた油圧ジャッキまたはラムによって自動的にシフトされる。そのようなシステムは、クレーンによって自由空間でユニットを巻き上げることに伴う上述の問題を回避するが、比較的高価であり、また設置が複雑で難しい。通常そのようなシステムは複数の油圧アクチュエータを必要とし、それらはレール上でひっかかることなくフレームの一定した、妨害されない移動を維持するために同期されていることもまた必要である。
【０００７】
したがって、従来技術のシステムに伴う上述の問題および制約を低減する足場システムを提供することが有利であろう。
【０００８】
さらに、従来技術のシステムに伴う上述の問題を低減する足場システムを配置する方法を提供することが有利であろう。
【発明の概要】
【０００９】
したがって、足場アセンブリが、上昇する間および／または降下する間に同時にガイドされ、構築物に取り外し可能に保持され、かつ次の再配置でも支持されるような単純化された足場システムを提供することが有利であろう。
【００１０】
したがって、一態様において本発明は；
複数の細長部材を含む足場アセンブリであり、前記部材は支持部を含んでいる足場アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段とを含むブラケットと； 
前記構築物に対してアセンブリを上昇および／または下降する間に、アセンブリをガイドするためのガイドと；
足場アセンブリから分離された移動手段であって、アセンブリを上昇および／または下降するために結合要素を介して足場アセンブリに接続された移動手段と、
を含む足場システムを提供するものであり；
前記支持手段は、アセンブリの上昇の間に前記支持部の通過を可能にするが、アセンブリの下降の間には前記支持部の通過を妨げ、それによって前記アセンブリを支持するように構成される。
【００１１】
このように本発明は、前述の従来技術のシステムに伴う可動型足場アセンブリを位置決めしかつ固定する際の問題を低減する足場システムを、有利に提供する。
【００１２】
本発明のさらなる態様においては； 
複数の細長部材を含む足場アセンブリで、前記部材は支持部を含んでいる足場アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段とを含む前記ブラケットと；
前記構築物に対してアセンブリを上昇および／または下降する間に、アセンブリをガイドするためのガイドと、
を含む足場システムを提供し；
前記支持手段は、前記支持部の通過が、アセンブリの上昇の間に該支持部によって作用されたときには、独立して可能になるように適合していて、かつ前記支持手段は、アセンブリの下降の間には前記支持部の通過を独立して妨げるようになっている。
【００１３】
このように本発明は、前述の従来技術のシステムに伴う可動型足場アセンブリを位置決めしかつ固定する際の問題を低減する足場システムを、有利に提供する。
【００１４】
本発明のさらなる態様において、
複数の細長部材を含む足場アセンブリであって、前記部材は支持部を含んでいる足場アセンブリと；
構築物に直接的にまたは間接的に据え付けるための複数のブラケットであって、当該ブラケットが構築物に据え付けられたときに長手の直立方向に前記細長部材を解放可能に保持しかつガイドするための保持およびガイド手段と、前記細長部材の重量の少なくとも一部を支持するための支持手段とを含む前記ブラケットと
を備える足場システムを提供し；
前記支持手段は、アセンブリの上昇の間に前記支持部の通過を可能にするが、アセンブリの下降の間には前記支持部の通過を妨げるように構成され、それによって前記アセンブリを支持し、
各保持およびガイド手段は、少なくとも一対の協働する対向した枢動可能アームを含み、スロット部分を含めて各アームは、すなわち協働する各アーム対は、それらの間に細長部材の一部分を保持し、かつアセンブリを上昇および／または低下の間に滑動可能にガイドすることを可能にしている。
【００１５】
このように本発明は、前述の従来技術のシステムに伴う可動型足場アセンブリを位置決めし、かつ固定する際の問題を低減する足場システムを、有利に提供する。
【００１６】
好ましくは、各細長部材は、例えばＵ、Ｉ、Ｈ、正方形、または丸型などの通常断面のビームまたはレールであり、したがってアセンブリの円滑な位置決めを容易にする。
【００１７】
好ましくは、前記ガイド手段は、ブラケットと一体である。より好ましくは、各ブラケットのガイド手段および保持手段もまた一体化される。それによって、必要な構成部品の数を低減し、したがって材料および製造、アセンブリ価格を節約する。また、ブラケットの構造は単純化される。
【００１８】
より好ましくは、一体化されたガイドおよび保持手段は、各細長部材を保持するためのロック位置と、各細長部材を解放するためのロック解除位置とに枢動させるように構成された１つ以上の枢動可能なアーム対として提供され、それによって、簡単であるが効果的なクランピング構成を提供する。
【００１９】
好ましくは、前記支持手段は、ブラケットに枢動可能に取り付けられたアームと停止手段とを含み、アームは、アセンブリの上昇の間に支持部の通過を可能にするが、停止手段のブラケットの一部分との相互作用によって支持部の戻りを妨げることができるようにする。こうして支持手段は、利便性の高い「一方向」弁またはラチェットタイプの構成を有利に提供する。
【００２０】
さらにより好ましくは、各細長部材の支持部には、１つ以上のピン、ボルト、またはそれらの組み合わせが提供され、それらは各細長部材に形成された開口部を通して保持されるように構成することができる。しかしながらより好ましくは、そのようなピン、ボルト、バー、またはそれらの組み合わせは、取り外し可能にまたは永続的に固定されても良く、アセンブリに対して簡単かつ効率的な支持を提供する。
【００２１】
好ましくは、前記ブラケットは、１つ以上のボルト、接着剤、繋留手段、またはそれらの組み合わせ、例えば通しスラブ、通しビーム、または埋め込まれたビーム／スラブのとめ具によって、構造体への据え付けが構成され、こうして構築物へ据え付けのための便利でかつ実用的な手段を提供し、それによってアセンブリを保持する。
【００２２】
好ましくは、このシステムは、例えば、クレーン、油圧または電気駆動アクチュエータ、などのアセンブリを上昇および／または下降するための手段を含み、アクチュエータはジャッキまたはラムであっても良い。
【００２３】
より好ましくは、システムはさらに、例えばシステムに据え付けるためのブラケットおよびパネルアセンブリなどの型枠手段を含むことができ、コンクリートまたは他の関連する建築材料を使用して、壁や他の構造構築物を現場で形成することができる。したがって本発明のシステムはまた、型枠の構築を可能にするように有利に適合される。
【００２４】
好ましくは、足場アセンブリは、モジュラーであり、どのブラケットに取り付けされるよりも前に事前に組立することができる。
【００２５】
好ましくは、足場アセンブリは、幅１０メートル、高さ１２メートルの領域を覆うための大きさである。より好ましくは、幅５メートル、高さ１２メートルである。したがって、構築物または建設工事の差異的に大きな領域が、１つのアセンブリで覆うことができる
【００２６】
好ましくは、足場アセンブリの直立の細長部材は、結合されたＵ断面ビーム、好ましくは「背中合わせ」に結合されたＵ断面ビームを含み、足場アセンブリはさらに枠組みを形成するように前記ビームを相互接続するクロス部材を含む。
【００２７】
好ましくは、足場アセンブリは、さらに作業員および／または材料を支持するための１つ以上の踏み台部材を含む。こうして、足場アセンブリは、ブラケットに支持された安全な作業／保管位置を提供する。
【００２８】
本発明のさらなる目的は、複数の細長部材を含む足場アセンブリで、前記部材は支持部を含んでいるアセンブリを位置決めする方法を提供することであり、前記方法は：
ａ）構築物に滑動可能に保持された足場アセンブリを上昇させるステップと、
ｂ）前記上昇と同時に構築物に結合されたガイドを介してアセンブリをガイドするステップと、
ｃ）足場アセンブリの支持部が、それらの前の支持位置を通過することを可能にするステップと、
ｄ）対応するそれぞれの支持位置に、支持部のための支持手段を位置決めするステップ、および
ｅ）支持手段で支持部を支持するステップ、
とを含む。
【００２９】
このようにして本発明は、例えば強風などの悪い気象条件による従来技術に伴う前述の問題を軽減する、足場アセンブリの位置決めを可能にする方法を提供する。
【００３０】
好ましくは、該方法はさらに、ステップ（ａ）の前に構築物上に提供されたブラケットに足場アセンブリを解放可能に据え付けるステップをさらに含み、したがって、システムの立ち上げ中の柔軟性を可能し、それによってアセンブリの移動を可能にする。
【００３１】
より好ましくは、該方法はさらに、本発明のモジュラーまたはユニット型足場システムによる位置決めを想定して、構築物に据え付ける前に足場アセンブリを事前に組み立てるステップをさらに含む。
【００３２】
さらにより好ましくは、アセンブリを位置決めする間に、支持部が支持手段に作用して、支持手段が支持部の経路から外れて移動するように構成され、かつ前記支持手段が、重力によって戻って前記経路を遮断し、その後支持部が支持手段上にあるようにする。このように、該方法は、一方向弁またはラチェット構成を介してアセンブリを上昇させかつ支持することを含み、それによってアセンブリを支持するステップを単純化する。
【好適な実施形態の説明】
【００３３】
本発明の特定の実施形態による足場システムが、以降図面を参照して説明される。
【００３４】
用語「足場アセンブリ」は、構築物へ据え付けるための枠組みを形成する、クロス部材、踏み台、および／または型枠などにより相互接続され直立する細長レール部材の構成を意味する。アセンブリの一形態の側面図が、図１のＦＩＧ．１ｂ〜１ｄに示される。細長部材が、必要な全体の高さ、したがってアセンブリの高さに依存して、端部と端部とで接合されることが理解されよう。複数の細長部材は、事前に選択された幅のユニット型またはモジュラー型足場アセンブリを形成するように、または例えば独特の外部壁角度を有する構築物などの特定の状況に適するように、クロス部材と交互に横方向に相互接続される。
【００３５】
図１のＦＩＧ．１ａは、建設中の建物のより低いレベル４に据え付けられた本発明の足場システム１の第１のブラケット３を示す。ブラケットは、通しビーム止め金構成で示されているが、通しスラブおよび埋め込みビーム／スラブ止め金構成も想定される。図１のＦＩＧ．１ｂは、地上表面５から上方に延びた、組み立てられた足場アセンブリ２を示し、構築物の第１のより低いレベル４と第２のより高いレベル６で橋渡しされている。アセンブリは、ブラケット３によって第１のレベル４で保持されている。第２のより高いレベルは、建設中の状態が示されているので、ブラケットはまだ備えられていない。足場アセンブリは複数の直立する細長部材７からなり、結合され相互接続されてユニット型枠組みを形成する。作業用踏み台８およびクロス部材９は、アセンブリ２の枠組みに剛性および強度を与えるのに役立つ。
【００３６】
図１のＦＩＧ．１ｃは、建設工事の第２のより高いレベル６で建物に据え付けられた、第２のより高いレベルのブラケット３を示す。アセンブリ２は、ここでもまた第２のレベル６でブラケット３によって保持されているのが示されている。図に描かれている第３の最も高いレベル１０は、建設中の状態が示されている。これは、足場アセンブリ２をそれ以上延長しなくても有用であるように、一番上の踏み台８をそこまで上げる必要のあるレベルである。
【００３７】
第３のより高いレベル１０に上げられたアセンブリが、図１のＦＩＧ．１ｄに示されている。アセンブリの基部は、続いて地上表面５から離れて上げられ、アセンブリは、保持手段によって所定位置にクランプされる。保持手段は、この例ではブラケット３に組み込まれている。これで作業は現在建設中の最も高いレベル１０で実行することができる。足場材料の浪費は地上レベルでは無く、作業員がより低いレベル４および第２のレベル６へアクセスすることは依然として可能である。その後、さらに最も高いレベルにブラケットが追加され、アセンブリ２はさらに上へ上げられても良い。足場システムが到達できる範囲は、実際には、建設工事の最も高いレベル、および使用される上昇手段の上昇能力、例えばクレーンの到達限界または重量限界によって制限されるだけである。図１のＦＩＧ．１ａから図１のＦＩＧ．１ｄは、上下のレベルに据え付けられたブラケット３を示しているが、追加のブラケット３が実際上、同一レベルでそれらに隣接して備えられ、アセンブリ２を保持するブラケット３が格子状または列状に効果的に形成されることを理解されたい。アセンブリ２のモジュラーまたはユニットセクション
【００３８】
図２のＦＩＧ．２ａ〜２ｆは、ブラケット３およびアセンブリ支持手段の一実施形態の操作順序を示す。ブラケット３は、構築物のあるレベルに据え付けられているＦＩＧ．２ａ〜２ｆの各図面で示される。この例では、据え付けは、通しビーム止め具構成２４によるものである。ブラケット３は、枢動可能に据え付けられたアーム２５の形態の支持手段を含む。アーム２５は、ブラケット２３にその内向き端部で枢動可能に接続されて示されている。外向き端部は、細長部材２２の支持ピンに係合するための腕金を含むように構成される。アームはまた、水平方向位置にあるときにブラケット２３の本体と係合するための（図示されない）停止手段を含む。停止手段は、アームの外向き端部が水平方向位置より下まで枢動することを防ぐ。この例では、アームが水平方向より下へ枢動するようには意図されていないが、ブラケット２３の他の構成や配置では、特別な構成の要求によっては下まで枢動するような細長部材２２のための支持手段を含む場合があることは理解されよう。アーム２５の外向き端部は、細長部材２２の開口２６を通して挿入されたレールピン２７ａを支持するように構成され、それによって細長部材２２はアームおよびピン２７ａを介してブラケットによって支持される。１つのピン２７ａが不良となった場合には、１つ以上の追加のピン２７ｂが第１のピンの上方に位置されていて、細長部材２２のために救済支持を提供するようにしても良い。
【００３９】
図２のＦＩＧ．２ａ〜２ｆを参照すると、ＦＩＧ．２ａは、通常断面のレール２２の形態をした足場アセンブリ２の細長い長手方向直立部材を示す。レール２２は、その長さに沿って複数の開口２６を含む。レールピン２７の形態の支持部が示されている。最も低いピン２７が載置され、アーム２５と接触して支持される。図２のＦＩＧ．２ａ〜２ｆは、ただ１つの支持構成を示すが、実際には構築物内外のかなりの領域にわたって足場アセンブリを支持する複数のブラケットが存在するであろうことを理解すべきである。建設工事という用語は完成した建物または建設中の建物を意味することができることは、当業者には明らかであろう。また、本発明の足場システムは、建物および建設工事に適用可能である一方、例えば船舶、ダム、モニュメント、パイロンなどの大規模構築物に関連して使用されることもできる。事実、周知のシステムが使用できるところならばどこでも、本発明のシステムはまた適用することができる。さらに、本発明の「ドラッグアンドドロップ」の性質が、例えば建物レベルに段差があるもの、または片持梁ビームなどの様々な困難な構築物配置へのアクセスを可能にする。
【００４０】
足場アセンブリ２を移動しかつ再配置する順序を、図２のＦＩＧ．２ａ〜２ｆを参照して説明する。アセンブリ２を上昇させる手段（図示せず）が、アセンブリ２に取り付けられ、アセンブリは、建設工事の次のレベルに上昇される。ブラケットは、アセンブリを支持するための都合の良い位置を提供する構築物の任意の位置に据え付けることができるが、各ピン２７は、次に高いブラケットのアーム２５の下側に、好ましくは構築物の次のレベルで係合するようにされる。上昇操作の間にピン２７は連続して上方へ上げられながらアームの外向き端部と接触し、アーム２５の内向き端部にある枢動点の周りにアーム２５を枢動させる。それによって、アームは、細長部材２２の支持部、すなわちピン２７が連続して上方に通過することを可能にする（図２のＦＩＧ．２ｄを参照）。図２のＦＩＧ．２ｅに示されるように、ピン２７が、アームの外向き端部の最遠点を通過すると、アームは、重力によってその元の水平位置に戻る。図２のＦＩＧ．２ｆに示されるように、次に、ピン２７がアーム２５の外向き端部に載置するように、アセンブリは降下される。アームは、停止手段（図示せず）のために、その元の水平位置より下へは枢動しない。それによって、各ブラケット２５は、細長部材２２、したがってアセンブリ全体の重量の一部を負担する。こうしてアセンブリは以前（図１のＦＩＧ．１ｄに示されるように）より高い新たなレベルに再配置される。図２のＦＩＧ．２ａ〜２ｆに示されるブラケット２５を、図３のＦＩＧ．３ａおよびＦＩＧ．３ｂを参照して記載する。
【００４１】
図３のＦＩＧ．３ａは本発明の一実施形態のブラケットを示し、ブラケットは一対の枢動可能に据え付けられた対向して協働するジョー３２ａ、３２ｂ間に挿入されたアーム支持手段を有する。
【００４２】
図３のＦＩＧ．３ｂは、本発明によるシステムの足場アセンブリの一部を保持するためのブラケット２３のある特定の実施形態を示す。示されるブラケット３５は、バックプレート３６を介して構築物に据え付けるように構成される。ブラケットは、２つの対の協働する枢動可能なアーム３２ａ、３２ｂおよび３３ａ（図示せず）、３３ｂを含む。最も上方のアームの組３２ａ、３２ｂは、解放したロックされていない位置で示され、一方、最も下方のアームの組３３ａ、３３ｂは、閉鎖された保持位置で示されている。各枢動可能なアームは、足場アセンブリの長手方向の直立した細長部材３１のフランジ部と係合するためのスロットを含む。示される細長部材３１は、接合プレート３５によって間隔を空けた関係で接合されたＵ形状のビームの対を含む。しかしながら、例えばＨまたはＩビームなどの様々な他の断面のビームが、使用されることができることは想定される。例えば図２のＦＩＧ．２ａ〜２ｆのアーム２５などの支持手段は、細長部材３１の２つのＵチャネル部材３４ａ、３４ｂ間に挿入される。支持部は、２つのチャネル３４ａ、３４ｂの芯あわせされた開口を通して挿入されたピン３６の形態で示されている。ピン３６は、アーム２３に載置され、かつアーム２３によって支持され、それによってアセンブリ２の細長部材３１を支持する。追加のピン３７は、第１のピン３６の故障の場合に、補足的な支持を提供する。それによって、アームとピンの構成は、アセンブリを支持するための都合の良い一方向弁またはラチェット機構を提供する。
【００４３】
構築物へアセンブリを据え付ける間に、枢動可能なアームの対３２ａ、３２ｂおよび３３ａ、３３ｂは解放され、細長部材が、チャネルレール３４ａ、３４ｂ間に挿入されたアーム（２５、図２のＦＩＧ．２ａ）を有するブラケット３０に対して位置決めされることを可能にしている。足場システムは、複数のそのようなブラケット３０を含み、したがって、この操作は、各ブラケット３０へのアセンブリ２の据え付けの間に、複数の位置で繰り返されることは理解される。アセンブリ２が、ブラケット３０に対して配置されると、枢動可能なアームは、細長いレール３１の各側でフランジと係合するように枢動される。図３に示される例において、各枢動可能なアームは、ブラケット３０の一部を通ってボルト３７上で枢動する。したがって、足場アセンブリ２はアセンブリ２を保持する各ブラケット２３の保持手段のために、上昇／下降動作の間にブラケットからはずれ得ないことが当業者には明らかであろう。したがって、モジュラー足場アセンブリ２は、構築物の次の必要な建設工事レベルまで「ドラッグされる」ことができ、かつアセンブリ２全体がより高いレベで支持されるまで、支持ピン３６のところまで下げられる。したがって、好ましい風／天候を待ったり、または高価格で複雑な油圧ジャッキ／ラムシステムの組立で時間的に遅れたりすることは無い。さらにアセンブリには、高強度のワイヤメッシュ覆い、高荷重安全ネット、金属デッキ、金属足止め板、昇降はしご、および廃物踏み台を備えることができ、作業が円滑に安全にかつ効率的に実行されることを可能にする。
【００４４】
本発明の特定の実施形態が、本明細書で記載されたが、様々な変更および修正が、本発明の精神および範囲から逸脱することなく行うことができることは、当業者には明らかであろう。
【図面の簡単な説明】
【００４５】
【図１】ＦＩＧ．１ａは、建設中の建物のより低いレベルに取り付けられた本発明の一実施形態による第１のブラケットを示す。この実施形態における足場システムは、ユニット型形態で組立され、ブラケットによって保持されるはずのものである。ＦＩＧ．１ｂは、建設中の建物の一部のより低いレベルで、ＦＩＧ．１ａのブラケットによって保持された本発明の一実施形態による足場システムの側面図を示す。ＦＩＧ．１ｃは、アセンブリを上昇させる前に第２のレベルブラケットで保持されたアセンブリを有する、ＦＩＧ．１ｂに示された足場システムの側面図である。ＦＩＧ．１ｄは、ＦＩＧ．１ｂに示された足場システムの他の側面図を示しているが、本発明による方法の一実施形態を使用して建設工事の次のより高いレベルに上昇されている。
【図２】ＦＩＧ．２ａ〜２ｆは、本発明の一実施形態によるブラケットの１つに対する足場アセンブリを移動しかつ再配置する順序を示す。
【図３】ＦＩＧ．３ａは、足場アセンブリの一部を保持する保持手段を有する本発明の一実施形態によるブラケットを示し、ＦＩＧ．３ｂは、ＦＩＧ．３ａのブラケットを示し、足場アセンブリの一部がブラケット上に支持されているところを示す。
【図１】
2005524792.tif 000003
【図２】
2005524792.tif 000004
【図３】
2005524792.tif 000005
【手続補正書】
【提出日】平成16年5月19日(2004.5.19)
【手続補正１】
【補正対象書類名】特許請求の範囲
【補正対象項目名】全文
【補正方法】変更
【補正の内容】
【特許請求の範囲】
【請求項１】
互いに連結された複数の細長部材を含む足場アセンブリであり、前記細長部材が支持部を含み、かつ、上端部および下端部を有する前記足場アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段とを含む、前記ブラケットと；
前記構築物に対して前記足場アセンブリを上昇および／または下降する間、前記足場アセンブリをガイドするためのガイドと；
前記足場アセンブリから分離された移動手段であって、前記足場アセンブリが当該移動手段から吊り下げられるように結合要素を介して前記足場アセンブリに取り付けられており、かつ、上昇中に前記結合要素を介して前記足場アセンブリを引き上げるよう構成されると共に、前記支持手段上の所定位置にて前記足場アセンブリを位置決めするよう構成されている、前記移動手段と
を含み、
前記ブラケットの前記支持手段が、前記足場アセンブリの上昇中に前記支持部の通過を可能にするが、前記足場アセンブリの下降の間には前記支持部の通過を妨げ、それによって前記足場アセンブリを前記所定位置にて支持するように構成されている、足場システム。
【請求項２】
前記移動手段は前記結合要素を介して、前記足場アセンブリの上端部の近傍に取り付けられている請求項１に記載の足場システム。
【請求項３】
互いに連結された複数の細長部材を含む足場アセンブリであって、前記細長部材が支持部を含み、かつ、上端部および下端部を有している前記足場アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段であり、かつ、それぞれが当該支持手段から延びる受け用ブラケットを有する前記支持手段とを含む、前記ブラケットと；
前記構築物に対して前記足場アセンブリを上昇および／または下降する間、前記足場アセンブリをガイドするためのガイドと
を含み、
前記支持手段が、前記支持部の通過を、前記足場アセンブリの上昇の間に該支持部によって作用されたときには、独立して可能にするようになっており、前記支持手段が、前記足場アセンブリの下降の間には前記支持部の通過を独立して妨げるようになっており、かつ、前記受け用ブラケットが、前記足場アセンブリの位置決め中に細長部材の前記支持部の各々をガイドすると共に、前記支持部の１つを前記支持手段上の所定位置にて受け入れるようになっている、足場システム。
【請求項４】
互いに連結された複数の細長部材を含む足場アセンブリであって、前記部材が支持部を含んでいる前記足場アセンブリと；
構築物に直接的にまたは間接的に据え付けるための複数のブラケットであって、当該ブラケットが構築物に据え付けられたときに長手の直立方向に前記細長部材を解放可能に保持しかつガイドするための保持およびガイド手段と、前記細長部材の重量の少なくとも一部を支持するための支持手段とを含む、前記ブラケットと
を含み、
前記支持手段が、足場アセンブリの上昇の間に前記支持部の通過を可能にするが、足場アセンブリの下降の間には前記支持部の通過を妨げるように構成され、それによって前記足場アセンブリを支持し、
各保持およびガイド手段は、少なくとも一対の互いに協働する対向した枢動可能なアームを含み、各アームは前記細長部材の一部を受けるためのスロット部分を含み、もって協働する各アーム対が、それらの間に細長部材の一部を保持し、かつ足場アセンブリを上昇および／または低下の間に滑動可能にガイドされることを可能にし、前記枢動可能なアームの各対が、前記細長部材を解放するように互いに対して離れる方向に枢動するよう構成されている、足場システム。
【請求項５】
前記各細長部材は、例えばＵ、Ｉ、Ｈ、正方形、または丸型などの通常断面のビームまたはレールである請求項１〜４のいずれか一項に記載のシステム。
【請求項６】
前記各ブラケットはガイド手段を組み込んでいる請求項１〜３のいずれか一項に記載のシステム。
【請求項７】
前記各ブラケットのガイド手段および保持手段が一体化されている請求項６に記載のシステム。
【請求項８】
一体化された前記ガイドおよび前記保持手段のそれぞれが、１つ以上の互いに協働する対向した枢動可能なアームの形態である請求項７に記載のシステム。
【請求項９】
前記枢動可能なアームの各対は、前記各細長部材を保持するための閉鎖位置と、前記細長部材を解放するための解放位置との間で枢動するように構成されている請求項８に記載のシステム。
【請求項１０】
前記支持手段は、前記ブラケットに枢動可能に取り付けられたアームと停止手段とを含み、前記アームは、前記足場アセンブリの上昇の間には前記支持部の通過を可能にするように前記支持部の作用によって独立して枢動され、前記停止手段と前記ブラケットの一部分との相互作用によって前記支持部の戻りを妨げるように支持位置に独立して戻る請求項１〜９のいずれか一項に記載のシステム。
【請求項１１】
前記各細長部材の前記支持部が、１つ以上の永続的なまたは取り外し可能なピン、ボルト、バー、またはそれらの組み合わせを含む請求項１〜１０のいずれか一項に記載のシステム。
【請求項１２】
前記ブラケットが、１つ以上のボルト、接着剤、止め金手段、またはそれらの組みあわせによって、構築物に据え付けるように構成されている請求項１〜１１のいずれか一項に記載のシステム。
【請求項１３】
前記足場アセンブリを上昇および／または下降する移動手段を含み、前記移動手段が、クレーン、ウインチ、ホイストなどを含む請求項３または４に記載のシステム。
【請求項１４】
さらに型枠手段を含む請求項１〜１３のいずれか一項に記載のシステム。
【請求項１５】
前記型枠手段が、現場で実質的に垂直なコンクリート壁を構築するための型枠パネルを含む請求項１４に記載のシステム。
【請求項１６】
前記足場アセンブリが、ブラケットによって保持される前に、ユニット型またはモジューラ型アセンブリとして事前に組み立てられる請求項１〜１５のいずれか一項に記載のシステム。
【請求項１７】
前記足場アセンブリが、最大、幅約１０メートル、高さ約１２メートルである請求項１〜１６のいずれか一項に記載のシステム。
【請求項１８】
前記足場アセンブリが、幅約５メートル、高さ約１２メートルである請求項１７に記載のシステム。
【請求項１９】
前記足場アセンブリの直立の前記細長部材が、結合されたＵ断面ビームを含み、前記足場アセンブリが、さらに枠組みを形成するために前記ビームを相互接続するクロス部材を含む請求項１〜１８のいずれか一項に記載のシステム。
【請求項２０】
前記足場アセンブリが、作業員および／または材料を踏み台部材上に支持するために、１つ以上の踏み台部材をさらに含む請求項１９に記載のシステム。
【請求項２１】
少なくとも１つの前記受け用ブラケットが、前記支持手段から離れている側のその一端部にて、テーパ付きのガイドフランジを含み、前記足場アセンブリが位置決めされたときに、対応の支持部が、前記支持手段の前記所定位置に、前記テーパ付きガイドフランジにより案内されるようになっている請求項３に記載のシステム。
【請求項２２】
前記各支持手段が当該支持手段から延びる受け用ブラケットを含む請求項１または２に記載のシステム。
【請求項２３】
少なくとも１つの前記受け用ブラケットが、前記支持手段から離れている側のその一端部にて、テーパ付きのガイドフランジを含み、前記足場アセンブリが位置決めされたときに、対応の支持部が、前記支持手段の前記所定位置に、前記テーパ付きガイドフランジにより案内されるようになっている請求項２２に記載のシステム。
【請求項２４】
支持部を含む複数の細長部材を含む足場アセンブリであり、上端部および下端部を有する前記足場アセンブリを位置決めする方法であって、
ａ）結合要素を介して前記足場アセンブリに移動手段を取り付けるステップと、
ｂ）前記足場アセンブリを前記移動手段から吊り下げた状態で、前記移動手段により前記足場アセンブリを引き上げるステップと、
ｃ）前記上昇と同時に構築物に結合されたガイドを介して前記足場アセンブリをガイドするステップと、
ｄ）前記足場アセンブリの前記支持部が、それらの前の支持位置を通過することを可能にするステップと、
ｅ）対応するそれぞれの支持位置に、前記支持部についての前記支持手段を位置決めするステップと、
ｆ）前記支持手段で前記支持部を支持するステップ、
とを含む方法。
【請求項２５】
前記ステップ（ａ）が、前記足場アセンブリの前記上端部の近傍に前記移動手段を取り付けるステップを含む請求項２４に記載の方法。
【請求項２６】
前記ステップ（ａ）の前に構築物上に提供されたブラケットに前記足場アセンブリを解放可能に据え付けるステップをさらに含む請求項２０に記載の方法。
【請求項２７】
構築物に据え付ける前に前記足場アセンブリを事前に組み立てるステップをさらに含む請求項２４または２５に記載の方法。
【請求項２８】
前記足場アセンブリを位置決めする間に、前記支持部が前記支持手段に作用して、前記支持手段が前記支持部の経路から外れて移動するように構成され、かつ前記支持手段が自動的に戻って前記経路を遮断し、その後前記足場アセンブリを支持するために前記支持部が前記支持手段上にあることを可能にする、請求項２４〜２７のいずれか一項に記載の方法。
【請求項２９】
前記位置決めステップ（ｅ）が、それぞれ対応の支持手段の受け用ブラケットに各支持部を受け入れるステップをさらに含む請求項２４〜２７のいずれか一項に記載の方法。
【手続補正２】
【補正対象書類名】明細書
【補正対象項目名】全文
【補正方法】変更
【補正の内容】
【発明の詳細な説明】
【技術分野】
【０００１】
本発明は、踏み台、あゆみ板、型枠を支持するための足場に関連し、特に、本発明は、建築および建設工事産業のための足場に関する。
【背景技術】
【０００２】
伝統的に足場システムは、例えば、建物、サイロ、船舶、モニュメント、およびダムなどの大規模構築物の建設および／または保守の間に使用される。足場は、一般にそのような構築物の外側に立てられ、内部での使用は一般的ではない。足場は、いったん立てられると構築物領域への実用的なアクセスを提供し、他の方法ではアクセスが困難で、もしなにも無ければ到達することは不可能である。一般に、そのような領域は、実用されているはしごおよび踏み台による到達範囲を越える高さにある。このシステムは、作業員が安全にかつ効率的に地面または構造体基礎レベルより上の高さで作業することを可能にし、かつ作業材料の安全な保管および配置も可能にする。従来のシステムは、一般に地面から上方へ立てられ、そこでは直立ポールは地表面上で支持されかつクロス部材および／または踏み台のネットワークを介して相互接続され、当該枠組構成に対して安定性および剛性を与える。構築物のより低いレベルが完成するか、もしくは保守作業が上方へ移動するのに従い、足場を延長することが通常必要である。このことは時として、地面に支持されたはじめの直立材にさらなる直立材を接続することが必要となり、クロス部材などをさらに相互接続して安定性を追加する必要がある。システムが高くなるにつれて、さらなる安全性および安定性のために、足場を構築物に結合する、または固定することが必要となる可能性がある。いったん組立されると、従来の足場形式は構築物に固定され、全体が分解されないならば重要事態が無い限り動かすことは出来ない。このように、構築物の作業が上方へ延び続けると、足場のより低いレベルは必要の無い、使用されない浪費物質となる可能性があり、かつ足場を継続して延長してより高いレベルで作業するために、材料をさらに持ち込む必要がある。
【０００３】
これらの問題に対する解決方法が、いわゆる「第２世代」システムによってこれまでに提案されている。従来技術で知られている１つのシステムは、取り外し可能な「ジャンプ」または「吊り下げ」足場システムである。そのようなシステムにおいて、足場は、限定された高さ範囲に立てられ、かつ構築物にそのまま止められる。作業が上方へより高い建設または保守レベルへ進むと、足場は構築物から取り外され、クレーンによって必要な新たな高さに１つのユニットづつ吊り上げられることが可能である。各足場ユニットは、次いで再設置され、新しい高さで構築物に再び取り付けられる。しかしながらそのようなシステムは、クレーンによる単位足場の大きなセクションを移動し持ち上げることにおける実用性の制限によって、ほぼ３から４平方メートルの面積の足場ユニットに適応されるにとどまる。通常はその特性によって、そのようなシステムは限定された隙間間隔または安全領域を有する市街地または立て込んだ領域に用いられる。また、上昇させる、移動する、および再固定する操作のいずれを行う場合にも、足場が安全に再び固定されるまでの平均的な気象条件を考慮する必要がある。例えば強い風または制限された視界などの悪い気象条件においては、大きな足場ユニットをクレーンから自由空間に吊り下げておくことは実際的ではなくまた安全ではない。そのような状況下では再取付けもまた困難であることは明らかであろうし、危険であると考えられる。そのようなシステムのセクションを移動することは前述したように非実用的であるので、当該ユニットはそのような条件がもし無ければ好ましいとされる大きさよりも-小さくすることが必要となり、したがって必要なユニット数が多くなり、応じてそれらを移動するためのより多くのクレーン操作回数や追加クレーンが必要となる。そのようなユニットの移動に付随する問題に伴う足場ユニット数の多さは、クレーンによる自由空間におけるユニット移動に伴う安全性リスクの増大ととともに、建築時間および費用も増大するという結果をもたらす。
【０００４】
提案されている代替のシステムは、自動化された、または「自走クライミング」のシステムである。そのようなシステムは、コンクリート表面を形成するための鉛直壁型枠として主として通常使用される自走クライミングアセンブリである。Ｓｃｈｗｏｒｅｒに対して発行された米国特許第５０００２８７号は、コンクリート壁を立てるための「自走クライミング」型枠のそのようなシステムを開示している。そのシステムは、足場踏み台を含み、足場踏み台は、壁部分に据え付けられた直立搬送レールに沿って、レール当たり１つの油圧リニア駆動装置によって移動する。踏み台が、そのそれぞれのレールの最上部まで駆動されると、踏み台はその位置に維持され、その間にレールは引き続き上方に移動され、壁の次の部分に固定される。このように、踏み台を上方に進めるために、システムは、踏み台、次いでレール、次いで踏み台といった交互に移動する比較的複雑な２段階の工程を必要とする。
【０００５】
Ｆｏｕｇｅａに対して発行された米国特許第４０６０３８５号は、自走クライミング型枠のさらなる周知のシステムである。このシステムは、建設中の壁に沿って型枠フレームを進めかつ位置決めするために、油圧アクチュエータの使用を開示している。フレームには、複数の油圧アクチュエータが設けられ、各アクチュエータは、壁に沿ってフレームを移動するためにその一方の端部が取り付けられ、各アクチュエータの他方の端部は、壁に据え付けられたブラケット上にフック掛けするのに適合している。フレームの移動中、傾斜形状をしたカムが、必要な位置にフレームを維持するためにブラケットと係合する。滑動担持アームは、このときフレームを支持するために所定の位置に配置される必要があり、その後にフレームが壁に対して上方に進められることを可能にするために取り除かれる必要がある。
【０００６】
このように、前述のシステムとは異なり、建設中の壁に沿って比較的少量づつ徐々に進んでゆく動きが要求される自走クライムシステムは、クレーンによって移動されるのではなく、組み込まれた油圧ジャッキまたはラムによって自動的にシフトされる。そのようなシステムは、クレーンによって自由空間でユニットを巻き上げることに伴う上述の問題を回避するが、比較的高価であり、また設置が複雑で難しい。通常そのようなシステムは複数の油圧アクチュエータを必要とし、それらはレール上でひっかかることなくフレームの一定した、妨害されない移動を維持するために同期されていることもまた必要である。
【０００７】
したがって、従来技術のシステムに伴う上述の問題および制約を低減する足場システムを提供することが有利であろう。
【０００８】
さらに、従来技術のシステムに伴う上述の問題を低減する足場システムを配置する方法を提供することが有利であろう。
【発明の概要】
【０００９】
したがって、足場アセンブリが、上昇する間および／または降下する間に同時にガイドされ、構築物に取り外し可能に保持され、かつ次の再配置でも支持されるような単純化された足場システムを提供することが有利であろう。
【００１０】
したがって、一態様において本発明は；
互いに連結された複数の細長部材を含む足場アセンブリであり、前記細長部材が支持部を含み、かつ、上端部および下端部を有する前記足場アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段とを含む、前記ブラケットと；
前記構築物に対して前記足場アセンブリを上昇および／または下降する間、前記足場アセンブリをガイドするためのガイドと；
前記足場アセンブリから分離された移動手段であって、前記足場アセンブリが当該移動手段から吊り下げられるように結合要素を介して前記足場アセンブリに取り付けられており、かつ、上昇中に前記結合要素を介して前記足場アセンブリを引き上げるよう構成されると共に、前記支持手段上の所定位置にて前記足場アセンブリを位置決めするよう構成されている、前記移動手段と
を含む足場システムを提供するものであり、
この足場システムにおいては、前記ブラケットの前記支持手段は、前記足場アセンブリの上昇中に前記支持部の通過を可能にするが、前記足場アセンブリの下降の間には前記支持部の通過を妨げ、それによって前記足場アセンブリを前記所定位置にて支持するように構成されている。
【００１１】
このように本発明は、前述の従来技術のシステムに伴う可動型足場アセンブリを位置決めしかつ固定する際の問題を低減する足場システムを、有利に提供する。
【００１２】
好ましくは、前記移動手段は、結合要素を介して足場アセンブリの上端部の近傍に取り付けられる。
【００１３】
本発明のさらなる態様においては； 
互いに連結された複数の細長部材を含む足場アセンブリであって、前記細長部材が支持部を含み、かつ、上端部および下端部を有している前記足場アセンブリと；
構築物に直接的にまたは間接的に据え付けるための複数のブラケットであって、当該ブラケットが構築物に据え付けられたときに長手の直立方向に前記細長部材を解放可能に保持するための保持手段と、前記細長部材の重量の少なくとも一部を支持するための支持手段であり、かつ、それぞれが当該支持手段から延びる受け用ブラケットを有する前記支持手段とを含む、前記ブラケットと；
前記構築物に対して前記足場アセンブリを上昇および／または下降する間、前記足場アセンブリをガイドするためのガイドと
を含む足場システムを提供し、
この足場システムにおいて、前記支持手段は、前記支持部の通過を、前記足場アセンブリの上昇の間に該支持部によって作用されたときには、独立して可能にするようになっており、前記支持手段は、前記足場アセンブリの下降の間には前記支持部の通過を独立して妨げるようになっており、かつ、前記受け用ブラケットは、前記足場アセンブリの位置決め中に細長部材の前記支持部の各々をガイドすると共に、前記支持部の１つを前記支持手段上の所定位置にて受け入れるようになっている。
【００１４】
このように本発明は、前述の従来技術のシステムに伴う可動型足場アセンブリを位置決めしかつ固定する際の問題を低減する足場システムを、有利に提供する。
【００１５】
本発明のさらなる態様においては、
互いに連結された複数の細長部材を含む足場アセンブリであって、前記部材が支持部を含んでいる前記足場アセンブリと；
構築物に直接的にまたは間接的に据え付けるための複数のブラケットであって、当該ブラケットが構築物に据え付けられたときに長手の直立方向に前記細長部材を解放可能に保持しかつガイドするための保持およびガイド手段と、前記細長部材の重量の少なくとも一部を支持するための支持手段とを含む、前記ブラケットと
を備える足場システムを提供し、
この足場システムにおいて、前記支持手段は、足場アセンブリの上昇の間に前記支持部の通過を可能にするが、足場アセンブリの下降の間には前記支持部の通過を妨げるように構成され、それによって前記足場アセンブリを支持し、
各保持およびガイド手段は、少なくとも一対の互いに協働する対向した枢動可能なアームを含み、各アームは前記細長部材の一部を受けるためのスロット部分を含み、もって協働する各アーム対が、それらの間に細長部材の一部を保持し、かつ足場アセンブリを上昇および／または低下の間に滑動可能にガイドされることを可能にし、前記枢動可能なアームの各対は、前記細長部材を解放するように互いに対して離れる方向に枢動するよう構成されている。
【００１６】
このように本発明は、前述の従来技術のシステムに伴う可動型足場アセンブリを位置決めし、かつ固定する際の問題を低減する足場システムを、有利に提供する。
【００１７】
好ましくは、各細長部材は、例えばＵ、Ｉ、Ｈ、正方形、または丸型などの通常断面のビームまたはレールであり、したがってアセンブリの円滑な位置決めを容易にする。
【００１８】
好ましくは、前記ガイド手段は、ブラケットと一体である。より好ましくは、各ブラケットのガイド手段および保持手段もまた一体化される。それによって、必要な構成部品の数を低減し、したがって材料および製造、アセンブリ価格を節約する。また、ブラケットの構造は単純化される。
【００１９】
より好ましくは、一体化されたガイドおよび保持手段は、各細長部材を保持するためのロック位置と、各細長部材を解放するためのロック解除位置とに枢動させるように構成された１つ以上の枢動可能なアーム対として提供され、それによって、簡単であるが効果的なクランピング構成を提供する。
【００２０】
好ましくは、前記支持手段は、ブラケットに枢動可能に取り付けられたアームと停止手段とを含み、アームは、アセンブリの上昇の間に支持部の通過を可能にするが、停止手段のブラケットの一部分との相互作用によって支持部の戻りを妨げることができるようにする。こうして支持手段は、利便性の高い「一方向」弁またはラチェットタイプの構成を有利に提供する。
【００２１】
さらにより好ましくは、各細長部材の支持部には、１つ以上のピン、ボルト、またはそれらの組み合わせが提供され、それらは各細長部材に形成された開口部を通して保持されるように構成することができる。しかしながらより好ましくは、そのようなピン、ボルト、バー、またはそれらの組み合わせは、取り外し可能にまたは永続的に固定されても良く、アセンブリに対して簡単かつ効率的な支持を提供する。
【００２２】
好ましくは、前記ブラケットは、１つ以上のボルト、接着剤、繋留手段、またはそれらの組み合わせ、例えば通しスラブ、通しビーム、または埋め込まれたビーム／スラブのとめ具によって、構造体への据え付けが構成され、こうして構築物へ据え付けのための便利でかつ実用的な手段を提供し、それによってアセンブリを保持する。
【００２３】
好ましくは、このシステムは、例えば、クレーン、油圧または電気駆動アクチュエータ、などのアセンブリを上昇および／または下降するための手段を含み、アクチュエータはジャッキまたはラムであっても良い。
【００２４】
より好ましくは、システムはさらに、例えばシステムに据え付けるためのブラケットおよびパネルアセンブリなどの型枠手段を含むことができ、コンクリートまたは他の関連する建築材料を使用して、壁や他の構造構築物を現場で形成することができる。したがって本発明のシステムはまた、型枠の構築を可能にするように有利に適合される。
【００２５】
好ましくは、足場アセンブリは、モジュラーであり、どのブラケットに取り付けされるよりも前に事前に組立することができる。
【００２６】
好ましくは、足場アセンブリは、幅１０メートル、高さ１２メートルの領域を覆うための大きさである。より好ましくは、幅５メートル、高さ１２メートルである。したがって、構築物または建設工事の差異的に大きな領域が、１つのアセンブリで覆うことができる
【００２７】
好ましくは、足場アセンブリの直立の細長部材は、結合されたＵ断面ビーム、好ましくは「背中合わせ」に結合されたＵ断面ビームを含み、足場アセンブリはさらに枠組みを形成するように前記ビームを相互接続するクロス部材を含む。
【００２８】
好ましくは、足場アセンブリは、さらに作業員および／または材料を支持するための１つ以上の踏み台部材を含む。こうして、足場アセンブリは、ブラケットに支持された安全な作業／保管位置を提供する。
【００２９】
本発明のさらなる目的は、支持部を含む複数の細長部材を含む足場アセンブリであり、上端部および下端部を有する前記足場アセンブリを位置決めする方法を提供することであり、この方法は、
ａ）結合要素を介して前記足場アセンブリに移動手段を取り付けるステップと、
ｂ）前記足場アセンブリを前記移動手段から吊り下げた状態で、前記移動手段により前記足場アセンブリを引き上げるステップと、
ｃ）前記上昇と同時に構築物に結合されたガイドを介して前記足場アセンブリをガイドするステップと、
ｄ）前記足場アセンブリの前記支持部が、それらの前の支持位置を通過することを可能にするステップと、
ｅ）対応するそれぞれの支持位置に、前記支持部についての前記支持手段を位置決めするステップと、
ｆ）前記支持手段で前記支持部を支持するステップ、
とを含んでいる。
【００３０】
このようにして本発明は、例えば強風などの悪い気象条件による従来技術に伴う前述の問題を軽減する、足場アセンブリの位置決めを可能にする方法を提供する。
【００３１】
好ましくは、前記ステップ（ａ）は、足場アセンブリの上端部の近傍に移動手段を取り付けることを含む。
【００３２】
好ましくは、該方法はさらに、ステップ（ａ）の前に構築物上に提供されたブラケットに足場アセンブリを解放可能に据え付けるステップをさらに含み、したがって、システムの立ち上げ中の柔軟性を可能し、それによってアセンブリの移動を可能にする。
【００３３】
より好ましくは、該方法はさらに、本発明のモジュラーまたはユニット型足場システムによる位置決めを想定して、構築物に据え付ける前に足場アセンブリを事前に組み立てるステップをさらに含む。
【００３４】
さらにより好ましくは、アセンブリを位置決めする間に、支持部が支持手段に作用して、支持手段が支持部の経路から外れて移動するように構成され、かつ前記支持手段が、重力によって戻って前記経路を遮断し、その後支持部が支持手段上にあるようにする。このように、該方法は、一方向弁またはラチェット構成を介してアセンブリを上昇させかつ支持することを含み、それによってアセンブリを支持するステップを単純化する。
【００３５】
さらに好ましくは、前記位置決めステップ（ｅ）は、それぞれ対応の支持手段の受け用ブラケットに各支持部を受け入れるステップを含む。
【好適な実施形態の説明】
【００３６】
本発明の特定の実施形態による足場システムが、以降図面を参照して説明される。
【００３７】
用語「足場アセンブリ」は、構築物へ据え付けるための枠組みを形成する、クロス部材、踏み台、および／または型枠などにより相互接続され直立する細長レール部材の構成を意味する。アセンブリの一形態の側面図が、図１のＦＩＧ．１ｂ〜１ｄに示される。細長部材が、必要な全体の高さ、したがってアセンブリの高さに依存して、端部と端部とで接合されることが理解されよう。複数の細長部材は、事前に選択された幅のユニット型またはモジュラー型足場アセンブリを形成するように、または例えば独特の外部壁角度を有する構築物などの特定の状況に適するように、クロス部材と交互に横方向に相互接続される。
【００３８】
図１のＦＩＧ．１ａは、建設中の建物のより低いレベル４に据え付けられた本発明の足場システム１の第１のブラケット３を示す。ブラケットは、通しビーム止め金構成で示されているが、通しスラブおよび埋め込みビーム／スラブ止め金構成も想定される。図１のＦＩＧ．１ｂは、地上表面５から上方に延びた、組み立てられた足場アセンブリ２を示し、構築物の第１のより低いレベル４と第２のより高いレベル６で橋渡しされている。アセンブリは、ブラケット３によって第１のレベル４で保持されている。第２のより高いレベルは、建設中の状態が示されているので、ブラケットはまだ備えられていない。足場アセンブリは複数の直立する細長部材７からなり、結合され相互接続されてユニット型枠組みを形成する。作業用踏み台８およびクロス部材９は、アセンブリ２の枠組みに剛性および強度を与えるのに役立つ。
【００３９】
図１のＦＩＧ．１ｃは、建設工事の第２のより高いレベル６で建物に据え付けられた、第２のより高いレベルのブラケット３を示す。アセンブリ２は、ここでもまた第２のレベル６でブラケット３によって保持されているのが示されている。図に描かれている第３の最も高いレベル１０は、建設中の状態が示されている。これは、足場アセンブリ２をそれ以上延長しなくても有用であるように、一番上の踏み台８をそこまで上げる必要のあるレベルである。
【００４０】
第３のより高いレベル１０に上げられたアセンブリが、図１のＦＩＧ．１ｄに示されている。アセンブリの基部は、続いて地上表面５から離れて上げられ、アセンブリは、保持手段によって所定位置にクランプされる。保持手段は、この例ではブラケット３に組み込まれている。これで作業は現在建設中の最も高いレベル１０で実行することができる。足場材料の浪費は地上レベルでは無く、作業員がより低いレベル４および第２のレベル６へアクセスすることは依然として可能である。その後、さらに最も高いレベルにブラケットが追加され、アセンブリ２はさらに上へ上げられても良い。足場システムが到達できる範囲は、実際には、建設工事の最も高いレベル、および使用される上昇手段の上昇能力、例えばクレーンの到達限界または重量限界によって制限されるだけである。図１のＦＩＧ．１ａから図１のＦＩＧ．１ｄは、上下のレベルに据え付けられたブラケット３を示しているが、追加のブラケット３が実際上、同一レベルでそれらに隣接して備えられ、アセンブリ２を保持するブラケット３が格子状または列状に効果的に形成されることを理解されたい。アセンブリ２のモジュラーまたはユニットセクション
【００４１】
図２のＦＩＧ．２ａ〜２ｆは、ブラケット３およびアセンブリ支持手段の一実施形態の操作順序を示す。ブラケット３は、構築物のあるレベルに据え付けられているＦＩＧ．２ａ〜２ｆの各図面で示される。この例では、据え付けは、通しビーム止め具構成２４によるものである。ブラケット３は、枢動可能に据え付けられたアーム２５の形態の支持手段を含む。アーム２５は、ブラケット２３にその内向き端部で枢動可能に接続されて示されている。外向き端部は、細長部材２２の支持ピンに係合するための腕金を含むように構成される。アームはまた、水平方向位置にあるときにブラケット２３の本体と係合するための（図示されない）停止手段を含む。停止手段は、アームの外向き端部が水平方向位置より下まで枢動することを防ぐ。この例では、アームが水平方向より下へ枢動するようには意図されていないが、ブラケット２３の他の構成や配置では、特別な構成の要求によっては下まで枢動するような細長部材２２のための支持手段を含む場合があることは理解されよう。アーム２５の外向き端部は、細長部材２２の開口２６を通して挿入されたレールピン２７ａを支持するように構成され、それによって細長部材２２はアームおよびピン２７ａを介してブラケットによって支持される。１つのピン２７ａが不良となった場合には、１つ以上の追加のピン２７ｂが第１のピンの上方に位置されていて、細長部材２２のために救済支持を提供するようにしても良い。
【００４２】
図２のＦＩＧ．２ａ〜２ｆを参照すると、ＦＩＧ．２ａは、通常断面のレール２２の形態をした足場アセンブリ２の細長い長手方向直立部材を示す。レール２２は、その長さに沿って複数の開口２６を含む。レールピン２７の形態の支持部が示されている。最も低いピン２７が載置され、アーム２５と接触して支持される。図２のＦＩＧ．２ａ〜２ｆは、ただ１つの支持構成を示すが、実際には構築物内外のかなりの領域にわたって足場アセンブリを支持する複数のブラケットが存在するであろうことを理解すべきである。建設工事という用語は完成した建物または建設中の建物を意味することができることは、当業者には明らかであろう。また、本発明の足場システムは、建物および建設工事に適用可能である一方、例えば船舶、ダム、モニュメント、パイロンなどの大規模構築物に関連して使用されることもできる。事実、周知のシステムが使用できるところならばどこでも、本発明のシステムはまた適用することができる。さらに、本発明の「ドラッグアンドドロップ」の性質が、例えば建物レベルに段差があるもの、または片持梁ビームなどの様々な困難な構築物配置へのアクセスを可能にする。
【００４３】
足場アセンブリ２を移動しかつ再配置する順序を、図２のＦＩＧ．２ａ〜２ｆを参照して説明する。アセンブリ２を上昇させる手段（図示せず）が、アセンブリ２に取り付けられ、アセンブリは、建設工事の次のレベルに上昇される。ブラケットは、アセンブリを支持するための都合の良い位置を提供する構築物の任意の位置に据え付けることができるが、各ピン２７は、次に高いブラケットのアーム２５の下側に、好ましくは構築物の次のレベルで係合するようにされる。上昇操作の間にピン２７は連続して上方へ上げられながらアームの外向き端部と接触し、アーム２５の内向き端部にある枢動点の周りにアーム２５を枢動させる。それによって、アームは、細長部材２２の支持部、すなわちピン２７が連続して上方に通過することを可能にする（図２のＦＩＧ．２ｄを参照）。図２のＦＩＧ．２ｅに示されるように、ピン２７が、アームの外向き端部の最遠点を通過すると、アームは、重力によってその元の水平位置に戻る。図２のＦＩＧ．２ｆに示されるように、次に、ピン２７がアーム２５の外向き端部に載置するように、アセンブリは降下される。アームは、停止手段（図示せず）のために、その元の水平位置より下へは枢動しない。それによって、各ブラケット２５は、細長部材２２、したがってアセンブリ全体の重量の一部を負担する。こうしてアセンブリは以前（図１のＦＩＧ．１ｄに示されるように）より高い新たなレベルに再配置される。図２のＦＩＧ．２ａ〜２ｆに示されるブラケット２５を、図３のＦＩＧ．３ａおよびＦＩＧ．３ｂを参照して記載する。
【００４４】
図３のＦＩＧ．３ａは本発明の一実施形態のブラケットを示し、ブラケットは一対の枢動可能に据え付けられた対向して協働するジョー３２ａ、３２ｂ間に挿入されたアーム支持手段を有する。
【００４５】
図３のＦＩＧ．３ｂは、本発明によるシステムの足場アセンブリの一部を保持するためのブラケット２３のある特定の実施形態を示す。示されるブラケット３５は、バックプレート３６を介して構築物に据え付けるように構成される。ブラケットは、２つの対の協働する枢動可能なアーム３２ａ、３２ｂおよび３３ａ（図示せず）、３３ｂを含む。最も上方のアームの組３２ａ、３２ｂは、解放したロックされていない位置で示され、一方、最も下方のアームの組３３ａ、３３ｂは、閉鎖された保持位置で示されている。各枢動可能なアームは、足場アセンブリの長手方向の直立した細長部材３１のフランジ部と係合するためのスロットを含む。示される細長部材３１は、接合プレート３５によって間隔を空けた関係で接合されたＵ形状のビームの対を含む。しかしながら、例えばＨまたはＩビームなどの様々な他の断面のビームが、使用されることができることは想定される。例えば図２のＦＩＧ．２ａ〜２ｆのアーム２５などの支持手段３９は、細長部材３１の２つのＵチャネル部材３４ａ、３４ｂ間に挿入される。支持部は、２つのチャネル３４ａ、３４ｂの整列された開口を通して挿入されたピン４４の形態で示されている。ピン４４は、アーム２３に載置され、かつアーム３９によって支持され、それによってアセンブリ２の細長部材３１を支持する。追加のピン３８は、第１のピン４４の故障の場合に、補足的な支持を提供する。それによって、アームとピンの構成は、アセンブリを支持するための都合の良い一方向弁またはラチェット機構を提供する。アーム３９は、その外側の端部に向かう受け用ブラケット４３を含み、これは細長部材３１の位置決め中に、ピン４４を受けるように整列される。受け用ブラケット４３は、アセンブリの解体または位置決め中に、ピン４４を適所となるように案内するのを助ける。図３のＦＩＧ．３ｂに示すように、受け用ブラケット４３は、支持アーム３９上の適正位置に部材３１のピン４４を案内する場合の助けとなるように、フレア状のまたはフランジ状の開放端部を有している。これにより、アセンブルは適正な位置となり、かつ、枢動可能なアームが細長部材３１の対応のフランジの周りでクランプされることを確保する。このような受け用ブラケットは、片持ち梁効果により、建造物に近づく方向にも建造物から離れる方向にもアセンブリが傾動するおそれを軽減することを助ける。この傾動が非常に大きい場合には、枢動可能なアームが適正な位置に保持される可能性はないのである。
【００４６】
構築物へアセンブリを据え付ける間に、枢動可能なアームの対３２ａ、３２ｂおよび３３ａ、３３ｂは解放され、細長部材が、チャネルレール３４ａ、３４ｂ間に挿入されたアーム（２５、図２のＦＩＧ．２ａ）を有するブラケット３０に対して位置決めされることを可能にしている。足場システムは、複数のそのようなブラケット３０を含み、したがって、この操作は、各ブラケット３０へのアセンブリ２の据え付けの間に、複数の位置で繰り返されることは理解される。アセンブリ２が、ブラケット３０に対して配置されると、枢動可能なアームは、細長いレール３１の各側でフランジと係合するように枢動される。図３に示される例において、各枢動可能なアームは、ブラケット３０の一部を通ってボルト３７上で枢動する。したがって、足場アセンブリ２はアセンブリ２を保持する各ブラケット２３の保持手段のために、上昇／下降動作の間にブラケットからはずれ得ないことが当業者には明らかであろう。したがって、モジュラー足場アセンブリ２は、構築物の次の必要な建設工事レベルまで「ドラッグされる」ことができ、かつアセンブリ２全体がより高いレベで支持されるまで、支持ピン４４のところまで下げられる。したがって、好ましい風／天候を待ったり、または高価格で複雑な油圧ジャッキ／ラムシステムの組立で時間的に遅れたりすることは無い。さらにアセンブリには、高強度のワイヤメッシュ覆い、高荷重安全ネット、金属デッキ、金属足止め板、昇降はしご、および廃物踏み台を備えることができ、作業が円滑に安全にかつ効率的に実行されることを可能にする。
【００４７】
本発明の特定の実施形態が、本明細書で記載されたが、様々な変更および修正が、本発明の精神および範囲から逸脱することなく行うことができることは、当業者には明らかであろう。
【図面の簡単な説明】
【００４８】
【図１】ＦＩＧ．１ａは、建設中の建物のより低いレベルに取り付けられた本発明の一実施形態による第１のブラケットを示す。この実施形態における足場システムは、ユニット型形態で組立され、ブラケットによって保持されるはずのものである。ＦＩＧ．１ｂは、建設中の建物の一部のより低いレベルで、ＦＩＧ．１ａのブラケットによって保持された本発明の一実施形態による足場システムの側面図を示す。ＦＩＧ．１ｃは、アセンブリを上昇させる前に第２のレベルブラケットで保持されたアセンブリを有する、ＦＩＧ．１ｂに示された足場システムの側面図である。ＦＩＧ．１ｄは、ＦＩＧ．１ｂに示された足場システムの他の側面図を示しているが、本発明による方法の一実施形態を使用して建設工事の次のより高いレベルに上昇されている。
【図２】ＦＩＧ．２ａ〜２ｆは、本発明の一実施形態によるブラケットの１つに対する足場アセンブリを移動しかつ再配置する順序を示す。
【図３】ＦＩＧ．３ａは、足場アセンブリの一部を保持する保持手段を有する本発明の一実施形態によるブラケットを示し、ＦＩＧ．３ｂは、ＦＩＧ．３ａのブラケットを示し、足場アセンブリの一部がブラケット上に支持されているところを示す。
【手続補正３】
【補正対象書類名】図面
【補正対象項目名】図１
【補正方法】変更
【補正の内容】
【図１】
2005524792.tif 000006
【手続補正４】
【補正対象書類名】図面
【補正対象項目名】図２
【補正方法】変更
【補正の内容】
【図２】
2005524792.tif 000007
【手続補正５】
【補正対象書類名】図面
【補正対象項目名】図３
【補正方法】変更
【補正の内容】
【図３】
2005524792.tif 000008
【国際調査報告】
2005524792.tif 000009
2005524792.tif 000010